(57)【要約】      （修正有）【課題】薬液を循環使用する際に薬液に混入する紙粉を効率的に除去し、塗布液の粘度を安定化させ、塗布量のバラツキを抑制することができる装置および方法を提供する。【解決手段】通液性で紙粉を捕捉する無端フィルターベルト１０と、その連続方向の位置を変更可能に支持する手段１５と、透過液を収容する濾液受けパン２０と、薬液含有ティシュペーパーの製造ラインにおける薬液塗布装置５３の薬液収容容器との間で構成される薬液の第１循環路内に設けた貯留タンクと、第１循環路からの紙粉含有液が、フィルターベルト１０の上方走行部上に供給され、その透過液を前記濾液受けパン２０により受けて、第１循環路に対して返送する第２循環路を備え、フィルターベルト１０は紙粉含有液の受け位置を変更更新するように操作可能され、フィルターベルト１０上に堆積した紙粉は、受け位置と異なる位置で排除するようにした薬液中の紙粉除去装置。【選択図】図１
2011183087.tif 000002
【特許請求の範囲】
【請求項１】
通液性で紙粉を捕捉する無端フィルターベルトと、その連続方向の位置を変更可能に支持する手段と、前記フィルターベルトの上方走行部の裏面側にあって、透過液を収容する濾液受けパンと、薬液含有ティシュペーパーの製造ラインにおける薬液塗布装置の薬液収容容器との間で構成される薬液の第１循環路内に設けた貯留タンクと、
さらに、前記第１循環路からの紙粉含有液が、前記フィルターベルトの上方走行部上に供給され、その透過液を前記濾液受けパンにより受けて、前記第１循環路に対して返送する第２循環路を備え、
前記フィルターベルトは紙粉含有液の受け位置を変更更新するように操作可能とされ、フィルターベルト上に堆積した紙粉は、前記受け位置と異なる位置で排除するようにした
ことを特徴とする薬液中の紙粉除去装置。
【請求項２】
前記濾液受けパンにより受けた濾液は、前記貯留タンクに対して返送されるようにした請求項１記載の薬液中の紙粉除去装置。
【請求項３】
原薬液が前記第１循環路に対して補給されるようにした請求項１記載の薬液中の紙粉除去装置。
【請求項４】
前記フィルターベルトの上方走行部の裏面側に金属製無端メッシュベルトが設けられ、その無端メッシュベルトの下方に前記濾液受けパンが設けられている請求項１記載の薬液中の紙粉除去装置。
【請求項５】
前記フィルターベルトは、駆動回転ロールと対向するロールとの間でサンドイッチされて前進するようにした請求項１記載の薬液中の紙粉除去装置。
【請求項６】
前記フィルターベルトの上方走行部の少なくとも前後にそれぞれ左右一対を下方に押し下げ、このフィルターベルトの押し下げ領域に左右の壁及び前後の壁を形成している請求項１記載の薬液中の紙粉除去装置。
【請求項７】
前記フィルターベルトの上方走行部の裏面側に金属製無端メッシュベルトが設けられ、その無端メッシュベルトの下方に前記濾液受けパンが設けられおり、
前記フィルターベルトの上方走行部の少なくとも前後にそれぞれ左右一対を前記メッシュベルトと共に下方に押し下げ、前記フィルターベルト及び前記メッシュベルトの押し下げ領域に左右の壁及び前後の壁を形成している請求項１記載の薬液中の紙粉除去装置。
【請求項８】
フィルターベルト上に堆積した紙粉は、フィルターベルトの裏面から表面へのエア噴射により除去し、第２の固液分離手段により紙粉と薬液とを分離するようにした請求項１記載の薬液中の紙粉除去装置。
【請求項９】
前記第２の固液分離手段により分離した薬液と前記濾液受けパンにより受けた濾液との両者を、前記第１循環路に対して返送されるようにした請求項８記載の薬液中の紙粉除去装置。
【請求項１０】
通液性で紙粉を捕捉する無端フィルターベルトと、その連続方向の位置を変更可能に支持する手段と、前記フィルターベルトの上方走行部の裏面側にあって、透過液を収容する濾液受けパンと、薬液含有ティシュペーパーの製造ラインにおける薬液塗布装置の薬液収容容器との間で構成される薬液の第１循環路内に設けた貯留タンクと、前記第１循環路からの紙粉含有液が、前記フィルターベルトの上方走行部上に供給され、その透過液を前記濾液受けパンにより受けて、前記第１循環路に対して返送する第２循環路とを備えた紙粉除去装置を使用し、
前記フィルターベルトの上方走行部に紙粉含有液を供給し、前記フィルターベルトを連続的又は間欠的に走行させ、フィルターベルト上に堆積した紙粉は、前記受け位置と異なる位置で排除することを特徴とする薬液中の紙粉除去方法。
【請求項１１】
通液性で紙粉を捕捉する無端フィルターベルトと、その連続方向の位置を変更可能に支持する手段と、前記フィルターベルトの上方走行部の裏面側に設けられた金属製無端メッシュベルトと、その無端メッシュベルトの下方に設けられ濾液受けパンと、薬液含有ティシュペーパーの製造ラインにおける薬液塗布装置の薬液収容容器との間で構成される薬液の第１循環路内に設けた貯留タンクと、前記第１循環路からの紙粉含有液が、前記フィルターベルトの上方走行部上に供給され、その透過液を前記濾液受けパンにより受けて、前記第１循環路に対して返送する第２循環路とを備えた紙粉除去装置を使用し、
前記フィルターベルトの上方走行部に紙粉含有液を供給し、前記フィルターベルトを連続的又は間欠的に走行させ、フィルターベルト上に堆積した紙粉は、前記受け位置と異なる位置で排除することを特徴とする薬液中の紙粉除去方法。
【発明の詳細な説明】
【技術分野】
【０００１】
本発明は、薬液塗布ティシュペーパーの製造工程において、薬液中の紙粉を除去する方法及び装置に関する発明である。
【背景技術】
【０００２】
表面に保湿剤や柔軟剤等の薬液を塗布した、ローションタイプとも言われるティシュペーパーはよく知られる（特許文献１）。
このような薬液塗布ティシュペーパーを製造するにあたり、柔軟剤やグリセリンを主原料とする保湿剤は高価であることから、これらの塗布薬液の有効利用や廃棄時に環境に与える影響を考慮し、薬液塗布工程での薬液の塗布効率をできるだけ高くするよう余剰の薬液は回収して再度塗布工程に供する、いわゆる薬液の循環使用を行うのが一般的である。しかし、塗布工程より回収された薬液には紙粉が混入し、塗布時間、塗布流れとともに塗布薬剤中の紙粉量が増加して薬剤の粘度が増加し、塗布量が増加したり、塗布幅方向や流れ方向での塗布量のばらつきが大きくなる問題があった。
【先行技術文献】
【特許文献】
【０００３】
【特許文献１】特開平４−９１２１号公報
【特許文献２】特開２００８−２６４５６４号公報
【発明の概要】
【発明が解決しようとする課題】
【０００４】
そこで、本発明の主たる課題は、薬液塗布ティシュペーパーの製造工程において、薬液を循環使用する際に薬液に混入する紙粉を効率的に除去し、結果として、塗布液の粘度を安定化させ、塗布量のバラツキを抑制することができる装置および方法を提供することである。
【課題を解決するための手段】
【０００５】
上記課題を解決した本発明は次記の通りである。
＜請求項１記載の発明＞
通液性で紙粉を捕捉する無端フィルターベルトと、その連続方向の位置を変更可能に支持する手段と、前記フィルターベルトの上方走行部の裏面側にあって、透過液を収容する濾液受けパンと、薬液含有ティシュペーパーの製造ラインにおける薬液塗布装置の薬液収容容器との間で構成される薬液の第１循環路内に設けた貯留タンクと、
さらに、前記第１循環路からの紙粉含有液が、前記フィルターベルトの上方走行部上に供給され、その透過液を前記濾液受けパンにより受けて、前記第１循環路に対して返送する第２循環路を備え、
前記フィルターベルトは紙粉含有液の受け位置を変更更新するように操作可能とされ、フィルターベルト上に堆積した紙粉は、前記受け位置と異なる位置で排除するようにした
ことを特徴とする薬液中の紙粉除去装置。
【０００６】
（作用効果）
ティシュペーパー原紙に対して薬液を塗布する場合、浸漬、ロール転写、スプレー塗布、フレキソ印刷方式、グラビア印刷方式によるなど公知の塗布方法をいずれも使用することができる。しかし、いずれの塗布方法によっても塗布時薬液の全量がティシュペーパー原紙に塗布されるものではなく、浸漬槽、版、ロールに未塗布薬液が残り、塗布薬液に未塗布液が混入される。薬液は安価ではないし、しかも、廃液とするとしても廃液処理による環境への影響もある。そこで、未塗布薬液は回収して再度塗布に供するのが望ましい。
【０００７】
しかし、未塗布薬液を回収すると、ティシュペーパー原紙の高速での走行によって飛散した紙粉が、あるいは紙から版へ薬剤とは逆に転移した紙粉が未塗布薬液に混入し、回収した未塗布薬液の再利用を継続すると紙粉の含有量の増大に伴って徐々に薬液の粘度が高まり、ティシュペーパー原紙への塗布量が増大し、また塗布幅方向や流れ方向において塗布量のばらつきが生じる問題があった。また、フレキソ印刷方式やグラビア印刷方式の場合には、版の目詰まりの原因となり、均一な塗布を妨げるという問題があった。
そこで、本発明では、回収した未塗布薬液を含む紙粉含有液をフィルターベルトに供給し濾過し、濾液を塗布液として使用するようにすることにより、塗布液中への紙粉の混入を抑制することができる。
【０００８】
薬液塗布を行なう浸漬式、ロール転写方式、スプレー塗布方式、フレキソ印刷方式、グラビア印刷方式のいずれも薬液収容容器からの薬液をティシュペーパー原紙に塗布するものである。しかるに、その薬液収容容器の粘度は可能な限り一定であることが望ましいので、別途、貯留タンクを設けて薬液収容容器との間で薬液を循環させる第１循環路を構成するのが望ましい。
【０００９】
さらに、この第１循環路から、望ましくは前記の貯留タンクから紙粉含有液を抜き出して、フィルターベルトの上方走行部上に供給し、その透過液を濾液受けパンにより受けて、第１循環路に対して、望ましくは前記の貯留タンクに返送する第２循環路を設けると、紙粉の除去を第２循環路内の濾過装置で連続的に除去するために、第１循環路内には紙粉の含有量が増大することなく経時的に安定した状態となり、安定した塗布量をもって塗布を行なうことができる。
【００１０】
前記フィルターベルトは無端であるために、紙粉の堆積が進行し目詰まりが進行した時点では、濾過速度が低下し、紙粉含有液の受け位置において、薬液があふれ出てしまうことがある。特に、起泡性の薬液の場合には溢れ出を生じる傾向が高い。この場合には、フィルターベルトをあるピッチ分前進走行させ、紙粉含有液の受け位置を変更更新することにより、濾過能力の低下を防止できる。
【００１１】
ここで、必要ならば、フィルターベルトは連続的に前進走行させてもよいが、ベルト上に残存する液を可能な限り減じるために、ベルト上の液を一定時間静置しベルトを通過させることのできる、間欠走行とする方が好ましい。フィルターベルトの前進走行は自動的に行なうほか、人力によってもよい。
【００１２】
他方、濾過をバッチ処理によることが考えられるが、使用した濾布を廃棄するのは経済的ではないし、濾布を再生する方式も可能であるが、その再生機構のコストが嵩むものとなる。
【００１３】
これに対し、本発明では無端フィルターベルトを使用しているので、フィルターベルト上に堆積した紙粉は、その性質上、前記受け位置と異なる位置でエアの吹付などで容易に排除できるために、簡素な構成で自動的に紙粉の除去が可能である。
【００１４】
なお、後述のように、特に高速で塗布方式する場合には、フレキソ印刷方式とすることが好ましく、特にドクターチャンバーを用いたフレキソ印刷方式とすることが好ましい。高速でのフレキソ印刷方式においては、未塗布薬液中に紙粉が大量に混入することを知見しており、本発明例の薬液中の紙粉除去装置を有効に適用できる。
【００１５】
＜請求項２記載の発明＞
前記濾液受けパンにより受けた濾液は、前記貯留タンクに対して返送されるようにした請求項１記載の薬液中の紙粉除去装置。
【００１６】
（作用効果）
濾液受けパンにより受けた濾液は紙粉をほとんど含有しないので、貯留タンクに返送し、塗布液として使用することができる。なお、薬液塗布装置の薬液収容容器又はその近くに返送すると、紙粉含有回収未塗布薬液中との接触を防止しながらそのまま塗布に供することができるので、薬液収容容器中の薬液の粘度の安定及び紙粉混入の防止の観点から、より好ましい形態である。
【００１７】
＜請求項３記載の発明＞
原薬液が前記第１循環路に対して補給されるようにした請求項１記載の薬液中の紙粉除去装置。
【００１８】
（作用効果）
原薬液は、第１循環路に対して、たとえば貯留タンク内に補給される。紙粉を含有しない原薬液についても、濾液受けパンにより受けた濾液と同様に、そして同様の理由により、薬液塗布装置の薬液収容容器又はその近くに補給すると、紙粉含有回収未塗布薬液中との接触を防止しながらそのまま塗布に供することができるので、薬液収容容器中の薬液の粘度の安定及び紙粉混入の防止の観点から、より好ましい形態である。
【００１９】
＜請求項４記載の発明＞
前記フィルターベルトの上方走行部の裏面側に金属製無端メッシュベルトが設けられ、その無端メッシュベルトの下方に前記濾液受けパンが設けられている請求項１記載の薬液中の紙粉除去装置。
【００２０】
（作用効果）
フィルターベルトとしては、不織布、合成繊維織物、金属製メッシュを使用できるが、適度なメッシュを確保するうえで、金属製メッシュでは粗すぎて適切ではない。したがって、不織布や合成繊維織物を使用できるが、これ単独であると、形状的に安定しない。特に、実施の形態のように、フィルターベルトの上方走行部の少なくとも前後にそれぞれ左右一対を下方に押し下げ、このフィルターベルトの押し下げ領域に左右の壁及び前後の壁を形成して濾過用の液溜まりを形成しようとする場合に、形状安定性に劣る。そこで、上方走行部の裏面側に金属製無端メッシュベルトを設けると、濾過用の液溜まりの形成が容易である。フィルターベルトを透過した濾液は、金属製無端メッシュベルトも透過し、濾液受けパンに受けられる。
【００２１】
＜請求項５記載の発明＞
前記フィルターベルトは、駆動回転ロールと対向するロールとの間でサンドイッチされて前進するようにした請求項１記載の薬液中の紙粉除去装置。
【００２２】
（作用効果）
この形態によると、フィルターベルト前進走行が簡易である。
【００２３】
＜請求項６記載の発明＞
前記フィルターベルトの上方走行部の少なくとも前後にそれぞれ左右一対を下方に押し下げ、このフィルターベルトの押し下げ領域に左右の壁及び前後の壁を形成している請求項１記載の薬液中の紙粉除去装置。
【００２４】
（作用効果）
前述のように濾過用の液溜まりを形成し、フィルターベルトを前進走行させ液溜まりを更新させるようにすると、順次新鮮な濾過部を形成でき、紙粉の堆積を防止できる。
【００２５】
＜請求項７記載の発明＞
前記フィルターベルトの上方走行部の裏面側に金属製無端メッシュベルトが設けられ、その無端メッシュベルトの下方に前記濾液受けパンが設けられおり、
前記フィルターベルトの上方走行部の少なくとも前後にそれぞれ左右一対を前記メッシュベルトと共に下方に押し下げ、前記フィルターベルト及び前記メッシュベルトの押し下げ領域に左右の壁及び前後の壁を形成している請求項１記載の薬液中の紙粉除去装置。
【００２６】
（作用効果）
前記フィルターベルト及び前記メッシュベルトの両者を押し下げるようにすると、濾過用の液溜まりの形状安定性に優れる。
【００２７】
＜請求項８記載の発明＞
フィルターベルト上に堆積した紙粉は、フィルターベルトの裏面から表面へのエア噴射により除去し、第２の固液分離手段により紙粉と薬液とを分離するようにした請求項１記載の薬液中の紙粉除去装置。
【００２８】
（作用効果）
受け位置と異なる位置で、フィルターベルト上に堆積した紙粉をエアの吹付などで容易に排除できるが、その排除紙粉中にも薬液が含有されているので、第２の固液分離手段たとえば小型の遠心分離器により紙粉と薬液とを分離し、薬液は回収するのが望ましい。
【００２９】
＜請求項９記載の発明＞
前記第２の固液分離手段により分離した薬液と前記濾液受けパンにより受けた濾液との両者を、前記第１循環路に対して返送されるようにした請求項８記載の薬液中の紙粉除去装置。
【００３０】
（作用効果）
前記第２の固液分離手段により分離した薬液は、濾液受けパンにより受けた濾液との両者を、前記第１循環路に対して返送することができ、系外への薬液の廃棄を防止できる。
【００３１】
＜請求項１０記載の発明＞
通液性で紙粉を捕捉する無端フィルターベルトと、その連続方向の位置を変更可能に支持する手段と、前記フィルターベルトの上方走行部の裏面側にあって、透過液を収容する濾液受けパンと、薬液含有ティシュペーパーの製造ラインにおける薬液塗布装置の薬液収容容器との間で構成される薬液の第１循環路内に設けた貯留タンクと、前記第１循環路からの紙粉含有液が、前記フィルターベルトの上方走行部上に供給され、その透過液を前記濾液受けパンにより受けて、前記第１循環路に対して返送する第２循環路とを備えた紙粉除去装置を使用し、
前記フィルターベルトの上方走行部に紙粉含有液を供給し、前記フィルターベルトを連続的又は間欠的に走行させ、フィルターベルト上に堆積した紙粉は、前記受け位置と異なる位置で排除することを特徴とする薬液中の紙粉除去方法。
【００３２】
（作用効果）
請求項１と同様の効果を奏する。
【００３３】
＜請求項１１記載の発明＞
通液性で紙粉を捕捉する無端フィルターベルトと、その連続方向の位置を変更可能に支持する手段と、前記フィルターベルトの上方走行部の裏面側に設けられた金属製無端メッシュベルトと、その無端メッシュベルトの下方に設けられ濾液受けパンと、薬液含有ティシュペーパーの製造ラインにおける薬液塗布装置の薬液収容容器との間で構成される薬液の第１循環路内に設けた貯留タンクと、前記第１循環路からの紙粉含有液が、前記フィルターベルトの上方走行部上に供給され、その透過液を前記濾液受けパンにより受けて、前記第１循環路に対して返送する第２循環路とを備えた紙粉除去装置を使用し、
前記フィルターベルトの上方走行部に紙粉含有液を供給し、前記フィルターベルトを連続的又は間欠的に走行させ、フィルターベルト上に堆積した紙粉は、前記受け位置と異なる位置で排除することを特徴とする薬液中の紙粉除去方法。
【００３４】
（作用効果）
請求項１及び請求項４と同様の効果を奏する。
【発明の効果】
【００３５】
本発明により、薬液塗布ティシュペーパーの製造工程で薬液の循環使用を行うにあたり、薬液中に混入する紙粉等の紙粉を自動的に、かつ効率よく除去することが可能となる。
【図面の簡単な説明】
【００３６】
【図１】本発明に係る薬液中の紙粉除去装置及び配管の一例を示すフロー図である。
【図２】フィルターベルト、メッシュベルトの上方走行面押し下げ部分の幅方向断視図である。
【図３】フィルターベルトの上方走行面上のフィルター押し下げロールの配置を模式的に示す上面図である。
【図４】本発明に係る薬液中の紙粉除去装置及び配管の別の一例を示すフロー図である。
【図５】ティシュペーパーの製造設備、製造方法を示す概略図である。
【図６】フレキソ塗布に係る装置の一例を示す概略図である。
【図７】グラビア塗布に係る装置の一例を示す概略図である。
【発明を実施するための形態】
【００３７】
本発明において、装置のフィルターベルト移動方向を「前後方向」あるいは「長手方向」とし、装置上方から見たフィルターベルトが向かう方向を「前方向」、逆を「後ろ方向」とする。また、フィルターベルトの移動方向と垂直な方向を「側方」あるいは「幅方向」と表記する。
【００３８】
（薬液の例）
本発明に係る装置において紙粉を除去される薬液の成分は、特に限定されるものではないが、以下、当該装置に供される薬液の成分の例について示す。
ティシュペーパーに付与する薬液の粘度は、加工速度を向上させる観点から、４０℃で１〜７００ｍＰａ・ｓとすることが好ましく、特に５０〜４００ｍＰａ・ｓとすることが好ましい。１ｍＰａ・ｓより小さいと薬液が飛散しやすくなり装置の汚損につながり、逆に７００ｍＰａ・ｓより大きいと塗布量をコントロールしにくくなる。
成分はポリオールを７０〜９０％、水分を１〜１５％、機能性薬品を０．０１〜２２％含むものとすることが好ましい。
ポリオールはグリセリン、ジグリセリン、プロピレングリコール、１，３−ブチレングリコール、ポリエチレングリコール、およびその誘導体等の多価アルコール、ソルビトール、グルコース、キシリトール、マルトース、マルチトール、マンニトール、トレハロース等の糖類を含む。
【００３９】
機能性薬剤としては、柔軟剤、界面活性剤、無機および有機の微粒子粉体、油性成分などがある。柔軟剤、界面活性剤はティシューに柔軟性を与えたり表面を滑らかにする効果があり、アニオン性界面活性剤、カチオン性界面活性剤及び両性イオン界面活性剤を適用する。無機および有機の微粒子粉体は表面を滑らかな肌触りとする。油性成分は滑性を高める働きがあり、流動パラフィン、セタノール、ステアリルアルコール、オレイルアルコール等の高級アルコールを用いることができる。
【００４０】
また機能性薬剤としてポリオールの保湿性を助けたり、維持させる薬剤として親水性高分子ゲル化剤、コラーゲン、加水分解コラーゲン、加水分解ケラチン、加水分解シルク、ヒアルロン酸若しくはその塩、セラミド等の１種以上を任意の組合せ等の保湿剤を加えることができる。
【００４１】
また機能性薬剤として香料、各種天然エキス等のエモリエント剤、ビタミン類、配合成分を安定させる乳化剤、薬液の発泡を抑え塗布を安定させるための消泡剤、防黴剤、有機酸などの消臭剤を適宜配合することができる。さらには、ビタミンＣ、ビタミンＥの抗酸化剤を含有させてもよい。
【００４２】
上記成分のうち、グリセリン、プロピレングリコール等の多価アルコールを主成分とすることが、薬液の粘度、塗布量を安定させる上で好ましい。
薬液塗布時の温度は３０℃〜６０℃、好ましくは３５℃〜５５℃とすることが好ましい。
【００４３】
（薬液中の紙粉除去装置本体の構成）
以下、本発明の実施の形態を図面に基づき説明する。図１は、本発明の薬液中の紙粉除去装置と配管の一例を示すフロー図である。図１において、薬液中の紙粉除去装置本体１の円柱型の駆動回転ロール１２と内周テンションロール１４が、断面が側面を向くように設置されており、無端状の金属性メッシュベルト１１がロール１２、１３に巻きかけられている。更に無端メッシュベルト１１の上下前後を取り囲み、かつ外周テンションロール１４を覆うように無端のフィルターベルト１０が巻きかけられている。駆動回転ロール１２はベルト駆動用減速機２１に連結されており、ベルトの走行及び走行速度制御を可能としている。駆動回転ロール１２の回転により、メッシュベルト１１とフィルターベルトが駆動回転ロール１２とブロックロール１７に挟みこまれて移動する。
【００４４】
フィルターベルト１０は、ポリエステル等の樹脂製、金属性メッシュシート等、通常ベルト型濃縮機に使用されるものを使用できるが、後述するように押し下げによりベルト形状を一部変形させながら移動させるため、可橈性に優れた樹脂製のフィルターを使用することがより好ましい。薬液濾過は、特に薬液に混入する紙粉の除去を目的としており、紙粉の大きさは平均繊維長で０．３〜３．０ｍｍであることから、フィルターは、網目が縦、横それぞれ２０〜５０本で、糸の太さ０．２５〜０．８ｍｍのものを使用することが好ましい。
【００４５】
メッシュベルト１１を省略し、フィルターベルト１０を直接駆動回転ロール１２に巻きかける形態とすることもできるが、フィルターベルトの形状を安定させ、かつフィルターベルトを確実に移動させるためにメッシュベルト１１を使用することが好ましい。メッシュベルト１１は、濾過機能を付加するものではないため、フィルターベルトに比して疎なメッシュを使用することが望ましい。メッシュベルトの素材は、ステンレス、アルミニウム、ポリエチレン等、水分の付着による錆びの生じにくいものとすることが好ましい。金属チェーンメッシュベルトは、上方走行面の押し下げにより凹部を形成する程度の可橈性を有することが好ましい。
【００４６】
図２、図３に示すように、メッシュベルト１１とフィルターベルトが重なる上方走行面のうち少なくとも２箇所（図示例では４箇所）がフィルター押し下げロール１５により押し下げられることにより、凹部が形成される。押し下げ手段は、ロールに限られず、例えば角のない樹脂製の凸部によってもよいが、その場合、押し下げられた状態のフィルターベルトをそのまま移動させると、押し下げ手段とベルトの摩擦によりベルトが破損する恐れがある。
【００４７】
押し下げ手段により形成された凹部は、被濾過薬液が薬液供給管より直接導入される薬液貯留部１６となる。薬液貯留部には液量検知手段が備えられ（図示せず）、フィルターの目詰まりにより貯留量が一定量を超えるとフィルターベルトが移動する構成となっている。液量検知手段は、公知の液量検知手段のいずれを使用してもよく、ボールタップ、水位計、微圧センサ等、公知の液量検知機器をいずれも使用できる。
【００４８】
フィルター押し下げロール１５は、２か所以上備えるものとし、４か所以上備えることがより好ましい。フィルター押し下げロールの配置を図３に例示するが、フィルター押し下げロールを２つ以上使用し、かつフィルターベルト上面に凹部を形成する構成であれば、フィルター押し下げロールの配置は特に図示例に限定されるものではない。貯留量の多い凹部を上方走行面に形成するためには、最もフィルター側部側に位置するフィルター押し下げロールのフィルター幅方向側部からの距離ａは、フィルターの幅方向の長さｂの１０〜５０％、より好ましくは２０〜３５％とすることが好ましい。１０％より側部に近い位置に配置すると凹部に深さを持たせることができず、また、５０％より幅方向中央寄りとすると、フィルターベルト側部の撓みが大きくなり、凹部の形状及び容量が安定しにくい。
【００４９】
フィルターが目詰まりを起こして薬液貯留部の液量が一定量を超えると、目詰まりを起こした部分が前方に移動し、目詰まりを起こしていない部分が新たな薬液貯留部を形成する。この際、凹部を形成していたフィルターが平坦となる部分において、フィルターに随伴して移動してきた薬液により側部から液漏れを生じる恐れがある。また、薬液が前方、及び下方へ移動すると、後述のバッチ操作による遠心分離に供する薬液量が増大し、バッチ操作の回数が増大し操作が煩雑となる。そのため、フィルターベルトの当該部分を横断するように、側面に断面を有するブロックロール１７を備え、フィルター移動に随伴して移動する薬液を、新たに形成される薬液貯留部へ押し戻す構成とすることが望ましい。ブロックロール１７は、表面が吸水性を備えたスポンジフォーム、ウレタンフォーム等で構成されており、駆動回転ロール１２の上方に配されることが好ましい。ブロックロール１７に吸収された薬液は、ブロックロール１７と駆動回転ロール１２との間に生じた押圧により、絞り出されるように薬液貯留部に押し出される。
【００５０】
ブロックロール１７を通過した後のフィルターベルトは、装置前方または装置下方において、エア噴射手段１８からのエア噴射により、目詰まりを除去される構成とするのが望ましい。エア噴射手段１８は、フィルターベルトの形成した内部空隙内に配置され、フィルター内部から外部の方向に向かって、目詰まりの要因となる紙粉と、フィルター表面に残存した薬液を吹き飛ばす構成とするのが好ましい。エア噴射手段１８は、具体的にはエアコンプレッサー等を使用することができる。エア噴射により飛ばされた紙粉及び薬液は、薬液受け１９に貯留された後、遠心分離手段２２へ送られる。
【００５１】
薬液貯留部のフィルターベルトを透過した薬液は、濾液受けパンに貯留されたのち、サービスタンク２３またはサービスタンク２４（図４）に送られる。
【００５２】
（遠心分離手段）
薬液受け１９に貯留された紙粉及び薬液は、遠心分離手段２２おいて、更に固液分離がなされる。遠心分離は、下記の条件で行われるのが好ましい。
○バッグフィルター：  樹脂製、好ましくはポリエステル製
○メッシュサイズ：１００〜４００メッシュ
○１回あたりの分離試料量：１．０〜５．０ｋｇ
○回転数：２０００〜５００ｒｐｍ  
○分離時間：１５〜４５分
遠心分離により得られた分離済みの薬液は、サービスタンク２３またはサービスタンク２４（図４）へ送られる。
【００５３】
（薬液のフローの形態）
図１に、紙粉除去装置本体１と薬液塗布工程との配管の一例を示す。薬液塗布工程から回収された紙粉を含む未塗布薬液は、遠心分離手段２２に送られるか、または、ポンプＰ−２により返送され、スクリーン等で紙片等の大きな夾雑物を除去された後にサービスタンク２３に貯留される。サービスタンク２３の温度は、薬液の粘度を一定の範囲内に保つため、ヒータ２６により２０〜６０℃とされることが好ましい。サービスタンク２３内の未塗布薬液には、原液タンク２５からポンプＰ−１により送られる原液薬液が付加されることが好ましい。ティシュペーパーに付加される薬液の品質を均一化するため、循環薬液と原液とを分けてラインに導入するのではなく、薬液を一体的に処理・使用することが好ましいためである。循環薬液と原液とは、４：１〜１００：１の割合で混合されることが好ましい。
【００５４】
サービスタンク２３の薬液は、ポンプＰ−３により紙粉除去装置本体１の薬液貯留部１６に供給され、フィルターベルト１０により濾過処理される。濾液受けパン２０に貯留した濾液は、ポンプＰ−４によりサービスタンク２３に送られる。
【００５５】
薬液受け１９に貯留された薬液及び紙粉は、遠心分離手段２２に供され、さらに分離処理されることが好ましい。分離された薬液はポンプＰ−５により、サービスタンク２３に送られる。残存した分離パルプは廃棄物として処理される。
【００５６】
サービスタンク２３内の薬液はポンプＰ−６により薬液塗布工程に送られる。その際、薬液は過剰量送られ、余剰分は塗布装置（図示例ではドクターチャンバー６１）から戻りポンプＰ−７により、再びサービスタンクに返送される。
【００５７】
ポンプＰ−１〜Ｐ−７は、エアポンプ等、公知のポンプをいずれも使用できるが、薬液が気泡を生じると濾過工程における効率が低下するため、気泡を生じにくいギアポンプを使用することが好ましい。
【００５８】
（薬液のフローの別の形態）
図４に、紙粉除去装置本体１と薬液塗布工程との配管の別の例を示す。図４に示すように、濾液受けパン２０と薬液受け１９に貯留した薬液は、サービスタンク２３とは別のサービスタンク２４に送られる構成としてもよい。この場合、薬液塗布工程において紙粉が混入した未塗布薬液と、紙粉をほとんど含まない濾液、分離液を混和することがないため、より紙粉の混入の少ない薬液を薬液塗布工程に供することができるため好ましい。しかし、薬液の濾過速度が薬液供給の律速となるため、薬液を安定的に供給するためには処理能力の高い大型装置、または複数台の装置を使用することが好ましい。
この形態においては、原薬液はサービスタンク２３に供給するのではなく、サービスタンク２４から薬液塗布工程に供給される薬液に混入されるのが好ましい。
【００５９】
未塗布薬液の粘度が７００ｍＰａ・ｓ以下（より好ましくは４００ｍＰａ・ｓ以下）の場合は、図１の形態を使用できるが、粘度が７００ｍＰａ・ｓを超える場合には、当該粘度が２００ｍＰａ・ｓ未満に低下するまで、図４の形態に変更することが好ましい。
【００６０】
（薬液塗布ティシュー製造工程の一例）
以下、本発明に係る装置より供給された薬液を塗布したティシュペーパーの製造工程の例を示す。図５に、本発明に係るティシュペーパーのプライ工程の装置Ｘ１の概要を示した。なお、図５に係る工程は、一体となった装置であるプライマシンで実施されることが好ましい。
【００６１】
抄紙機において抄紙された原紙は、連続シートとして、クレープを施し、カレンダー処理を施したうえで、これを巻き取り、一次原反ロールＪＲ（一般的にジャンボロールともいわれている）とされる。
【００６２】
連続シートＳ１１，Ｓ１２は積層ローラー５１で積層されて２プライとされ、必要に応じてプライマシンカレンダー５２でカレンダー処理され、薬液付与手段５３に送られる。薬液付与は各プライの片面側のみより行われ、薬液を付与されていない面同士が重ね合わされて、後にプライ固定を施されるのが好ましい。薬液塗布の方法は、浸漬、スプレー塗布、フレキソ塗布、グラビア塗布によるなど公知の塗布方法をいずれも使用することができる
【００６３】
薬液を塗布された２プライの連続シートは、コンタクトエンボスコロ５４Ｂ及びコロロール５４Ａに供され、コンタクトエンボス（ナーリング）処理を施すことにより固定されることが好ましい。コンタクトエンボスは、両側部から紙幅に対して１／１０〜１／２０の位置に幅１〜１０ｍｍで縦方向に一様に施されるのが好ましい。プライを接着剤等で固定するなど、公知の方法のいずれを使用してもよいが、接着剤を使用する場合、肌触りが固くなりやすい、薬液付与時に剥がれやすい、等の問題があるため、コンタクトエンボスの使用がより好ましいといえる。
【００６４】
コンタクトエンボスを付与した２プライの連続シートは、直接ロータリー式インターフォルダ等に供されて折り加工を施された後に製品サイズに裁断されるか、または、スリッター５５により製品幅にカットされた後、ワインディングドラム５６により巻き取り二次原反ロールＲとされ、折り加工が施され、紙箱への収納がなされる。
なお、本形態ではコンタクトエンボス前に薬液を付与する構成をとっているが、コンタクトエンボス後に薬液を付与する構成としてもよい。
【００６５】
上述の二次原反ロールは、特にティシュペーパー製品においては折り加工工程に供される。折り加工工程としては、ロータリー式インターフォルダ、マルチスタンド式インターフォルダ等公知の方法を使用することができるが、生産性の高いマルチスタンド式インターフォルダの使用がより好ましい。
【００６６】
なお、２プライのティシュペーパーの製造工程を例示したが、本発明に係る薬剤中の紙粉除去装置から供給される薬液は、他の製造工程にも有効に使用できるものであり、上記の製造工程への使用に限定されるものではない。
【００６７】
（薬液塗布工程−グラビア塗布の一例）
薬液塗布工程としては、公知の塗布手段をいずれも使用することができるが、塗布面全体にムラなく薬液塗布を行うグラビア塗布、フレキソ塗布等の印刷方式の使用が好ましい。
【００６８】
図７にグラビア塗布に係る装置の一例を示す。図７において、積層シートＳ２は、一対のリンク式オフセットグラビアプレス２０１、２０２の間に送られる。プレス２０１は、下部グラビアシリンダ２０３と、上部オフセットシリンダ２０４とによって構成されている。また、プレス２０２は、下部グラビアシリンダ２０５と、上部オフセットシリンダ２０６とによって構成されている。グラビアシリンダ２０３，２０５は各々、特定の蝕刻されたセルパターンと寸法を有し、クロムメッキされた表面を有しており、オフセットシリンダ、２０４，２０６は各々、平滑なポリウレタンゴムの表面を有している。グラビアロールのセル容積の寸法は、所望の被覆重量、ライン速度、及び薬液の粘度で決まる。これらのグラビアシリンダとオフセットシリンダは、矢印の方向に回転する。図７に示されるように、オフセットシリンダ２０４，２０６、は、直接対向し互いに平行であり、積層シートＳ２が通過するニップ領域２０７を提供する。
【００６９】
インキ溜めトレイ２０８，２０９が、グラビアシリンダ２０３，２０５の下にそれぞれ配置されている。グラビアシリンダ２０３，２０５が、トレイ２０８，２０９内で、矢印の方向に回転すると、グラビアシリンダ２０３，２０４は、一定量の薬液を取り上げる。
【００７０】
次いで、グラビアシリンダのセル２０３、２０５に残った薬液は、シリンダの各対間のニップ領域２１０，２１１のところで、オフセットシリンダ２０４，２０６に移される。次いで、オフセットシリンダ２０４，２０６に移された薬液は、積層シートＳ２の両面に同時に移される。積層シートＳ２に移される薬液の量は、（１）ニップ領域２０７の幅の調整、及び／又は、（２）ニップ領域２１０、２１１の幅の調整によって制御される。
【００７１】
（薬液塗布工程−フレキソ塗布の一例）
薬液塗布工程のうち、特にドクターチャンバー６１を備えたフレキソコーターを使用すると、安定した塗布量で薬液を供給することができるため、より好ましい。
【００７２】
図６にフレキソ印刷方式におけるドクターチャンバー形式の一例を示す。図６に示すように一方のドクターチャンバー形式とされる薬液塗布部５３Ａは、薬液の入っているドクターチャンバー６１Ａが、回転可能なアニロックスロール６３Ａと対向して配置されていて、ドクターチャンバー６１Ａからアニロックスロール６３Ａに薬液を受け渡すようになっている。また、このアニロックスロール６３Ａと接し且つ積層連続シートＳ２の一面とも接する刷版ロール６４Ａが回転可能に設置されていて、このアニロックスロール６３Ａから刷版ロール６４Ａに薬液を受け渡すようになっている。さらに、積層連続シートＳ２を挟んでこの刷版ロール６４Ａと対向している弾性ロール６５Ａとで積層連続シートＳ２に圧力を付与しつつ、刷版ロール６４Ａから積層連続シートＳ２に薬液を塗布するようになっている。
【００７３】
そして、本形態では、この薬液塗布部５３Ａがコンタクトエンボス手段５４のコロ５４Ａと対向し且つ、前述のワインディングドラム５６Ａとも対向する積層連続シートＳ２の面側に位置している。尚、前述のドクターチャンバー６１Ａに対して薬液を塗布する供給ポンプ（図示しない）及び、このドクターチャンバー６１Ａから薬液を戻すための排出供給ポンプ（図示しない）が、ドクターチャンバー６１Ａに設置されている。
【００７４】
他方、図６に示すように他方のドクターチャンバー形式とされる薬液塗布部５３Ｂは、薬液の入っているドクターチャンバー６１Ｂが、回転可能なアニロックスロール６３Ｂと対向して配置されていて、ドクターチャンバー６１Ｂからアニロックスロール６３Ｂに薬液を受け渡すようになっている。また、このアニロックスロール６３Ｂと接し且つ積層連続シートＳ２の他の面とも接する刷版ロール６４Ｂが回転可能に設置されていて、このアニロックスロール６３Ｂから刷版ロール６４Ｂに薬液を受け渡すようになっている。さらに、積層連続シートＳ２を挟んでこの刷版ロール６４Ｂと対向している弾性ロール６５Ｂとで積層連続シートＳ２に圧力を付与しつつ、刷版ロール６４Ｂから積層連続シートＳ２に薬液を塗布するようになっている。薬液の粘度によっては、刷版ロール６４Ｂに紙粉が付着しやすくなるという問題があることから、刷版６４Ｂ下部に紙粉除去手段２７を設けることが好ましい。図１、図４の図示例では紙粉除去手段２７として回転ブラシを使用しているが、他にもエア噴射手段、液体噴射手段等を適宜選択することができる。
【００７５】
そして、本実施の形態では、この薬液塗布部５３Ｂがコロ５４Ａと非対向とされ且つ、前述のワインディングドラム５６Ａとも非対向となる積層連続シートＳ２の他の面側に位置している。尚、前述のドクターチャンバー６１Ｂに対して薬液を塗布する供給ポンプ（図示しない）及び、このドクターチャンバー６１Ｂから薬液を戻すための排出供給ポンプ（図示しない）が、ドクターチャンバー６１Ｂにも設置されている。
【００７６】
従って、積層連続シートＳ２の両面に薬液塗布部５３Ａ及び薬液塗布部５３Ｂから薬液がそれぞれ塗布されるが、この際、薬液塗布部５３Ａによるコロ５４Ａと対向する積層連続シートＳ２の面側の塗布量を薬液塗布部５３Ｂによる他の面側の塗布量に対して少なくしつつ、積層連続シートＳ２の両面からそれぞれ積層連続シートＳ２に対して薬液を塗布することができる。
【００７７】
具体的には、片面毎の塗布量を変えるだけでなく、フレキソ版の線数を１５〜４０線程度、頂点面積率を２０〜４０％程度の薬液が飛散しない程度に粗くすることが考えられ、このようにすることで、塗布直後はドット柄が残り、瞬間的に塗布部分と未塗布部分ができるようになる。
【００７８】
従って、本形態によれば、フレキソ印刷方式を用いることで版が樹脂であり弾力性があるため衛生用薄葉紙に多少の凹凸があっても印圧で調整可となるので、積層連続シートＳ２にシワが入り難くなる。他方、フレキソ印刷方式を用いることにより、加工速度が高速であっても塗布量を安定させることができ、また、一つのロールで幅広い薬液の粘度を安定的に塗布することができるようになる。具体的には、積層連続シートＳ２を７００ｍ／分以上とし、好ましくは９００ｍ／分以上の速度で搬送しつつ、薬液とされるローション剤を後述の範囲の塗布量で塗布する際にも、塗布が均一で蛇行無く積層連続シートＳ２を巻き取れるようになる。
【００７９】
また、本形態に付随する薬液塗布手段５３の要件としては、以下のものが考えられる。
２ロールフレキソ形式の薬液塗布手段では、薬液タンク等の塗布装置内で循環する薬液に含まれる紙粉やエアーのろ過装置を設置する必要があるが、本実施の形態のようなドクターチャンバー形式の薬液塗布手段５３とした場合、紙粉等が少なくなるので、ろ過装置の負荷が軽減されることも考えられる。さらに、ドクターチャンバー６１Ａ、６１Ｂ等の塗布装置内で薬液の温度をコントロールし、薬液粘度を安定させる必要が考えられるが、ドクターチャンバー６１Ａ、６１Ｂに繋がる中間タンク及び配管にヒータを設置することにできる。他方、操業中に積層連続シートＳ２の幅方向の水分率で塗布量を管理する必要が考えられるが、例えば赤外線の検査機等を用いて常に幅方向の水分量とバラツキをチェックするようにできる。
【実施例】
【００８０】
本発明に係る紙粉除去装置を使用して、ティシュペーパー製造ラインからの循環薬液の紙粉除去操作を行い、操作の各段階における薬液の粘度、具体的には薬液原液、循環薬液、濾液受けパン２０内の薬液、薬液受け１９内の薬液、遠心分離手段２２で分離された薬液、及びサービスタンク内の薬液の粘度を測定した。本実施例は、図１に示す装置及び配管を用いた条件で行った。
【００８１】
本実施例において、フィルターベルト１０は、メッシュが１インチ当たり縦３３本、横３１本、糸の太さ０．４ｍｍのポリエステルメッシュベルト（（株）日本ベルト製）を使用した。また、遠心分離機のバッグフィルターは、２００メッシュ（糸の太さ：０．４８ｍｍ）のポリエステル製バッグ（蒲田工業（株））を使用した。
【００８２】
各段階における薬液の粘度を表１に示す。薬液の粘度は、Ｂ型粘度計を使用し、薬液温度２７．０℃の条件で測定した。
【００８３】
【表１】
2011183087.tif 000003
【００８４】
表１に示す通り、本発明に係る紙粉除去装置を使用することにより、循環薬液の粘度を有意に低下させて製造ラインに再供給することが可能であることが明らかとなった。
【産業上の利用可能性】
【００８５】
本発明は、薬液塗布ティシュペーパーの製造工程に限らず、液体中の微細な夾雑物の効率的な除去を要する他分野においても適用できるものである。
【符号の説明】
【００８６】
１…紙粉除去装置本体、１０…フィルターベルト、１…金属チェーンメッシュベルト、１２…駆動回転ロール、１３…内周テンションロール、１４…外周テンションロール、１５…フィルター押し下げロール、１６…薬液貯留部、１７…ブロックロール、１８…エア噴射手段、１９…薬液受け、２０…濾液受けパン、２１…減速機、２２…遠心分離手段、２３，２４…サービスタンク、２５…原液タンク、２６…ヒータ、２７…紙粉除去手段、Ｐ−１〜Ｐ−７…ポンプ。
【図１】
2011183087.tif 000004
【図２】
2011183087.tif 000005
【図３】
2011183087.tif 000006
【図４】
2011183087.tif 000007
【図５】
2011183087.tif 000008
【図６】
2011183087.tif 000009
【図７】
2011183087.tif 000010
【手続補正書】
【提出日】平成23年4月15日(2011.4.15)
【手続補正１】
【補正対象書類名】明細書
【補正対象項目名】全文
【補正方法】変更
【補正の内容】
【発明の詳細な説明】
【技術分野】
【０００１】
本発明は、薬液塗布ティシュペーパーの製造工程において、薬液中の紙粉を除去する方法及び装置に関する発明である。
【背景技術】
【０００２】
表面に保湿剤や柔軟剤等の薬液を塗布した、ローションタイプとも言われるティシュペーパーはよく知られる（特許文献１）。
このような薬液塗布ティシュペーパーを製造するにあたり、柔軟剤やグリセリンを主原料とする保湿剤は高価であることから、これらの塗布薬液の有効利用や廃棄時に環境に与える影響を考慮し、薬液塗布工程での薬液の塗布効率をできるだけ高くするよう余剰の薬液は回収して再度塗布工程に供する、いわゆる薬液の循環使用を行うのが一般的である。しかし、塗布工程より回収された薬液には紙粉が混入し、塗布時間、塗布流れとともに塗布薬剤中の紙粉量が増加して薬剤の粘度が増加し、塗布量が増加したり、塗布幅方向や流れ方向での塗布量のばらつきが大きくなる問題があった。
【先行技術文献】
【特許文献】
【０００３】
【特許文献１】特開平４−９１２１号公報
【特許文献２】特開２００８−２６４５６４号公報
【発明の概要】
【発明が解決しようとする課題】
【０００４】
そこで、本発明の主たる課題は、薬液塗布ティシュペーパーの製造工程において、薬液を循環使用する際に薬液に混入する紙粉を効率的に除去し、結果として、塗布液の粘度を安定化させ、塗布量のバラツキを抑制することができる装置および方法を提供することである。
【課題を解決するための手段】
【０００５】
上記課題を解決した本発明は次記の通りである。
＜請求項１記載の発明＞
ティシュペーパー原紙に対する薬液塗布工程に付与された薬液のうち、余剰の薬液を回収する回収工程と、
回収した薬液を紙粉分と薬液分とに分離する分離工程と、
前記薬液分を薬液塗布装置に対して供給する工程と、を含むことを特徴とする薬液含有ティシュペーパーの製造方法。」
＜請求項２記載の発明＞
前記薬液が、成分としてポリオールを７０〜９０％、水分を１〜１５％、機能性薬品を０．０１〜２２％含む、請求項１記載の薬液含有ティシュペーパーの製造方法。
＜請求項３記載の発明＞
前記分離工程がフィルター濾過によって行われる、請求項１記載の薬液含有ティシュペーパーの製造方法。
【０００６】
（作用効果）
ティシュペーパー原紙に対して薬液を塗布する場合、浸漬、ロール転写、スプレー塗布、フレキソ印刷方式、グラビア印刷方式によるなど公知の塗布方法をいずれも使用することができる。しかし、いずれの塗布方法によっても塗布時薬液の全量がティシュペーパー原紙に塗布されるものではなく、浸漬槽、版、ロールに未塗布薬液が残り、塗布薬液に未塗布液が混入される。薬液は安価ではないし、しかも、廃液とするとしても廃液処理による環境への影響もある。そこで、未塗布薬液は回収して再度塗布に供するのが望ましい。
【０００７】
しかし、未塗布薬液を回収すると、ティシュペーパー原紙の高速での走行によって飛散した紙粉が、あるいは紙から版へ薬剤とは逆に転移した紙粉が未塗布薬液に混入し、回収した未塗布薬液の再利用を継続すると紙粉の含有量の増大に伴って徐々に薬液の粘度が高まり、ティシュペーパー原紙への塗布量が増大し、また塗布幅方向や流れ方向において塗布量のばらつきが生じる問題があった。また、フレキソ印刷方式やグラビア印刷方式の場合には、版の目詰まりの原因となり、均一な塗布を妨げるという問題があった。
そこで、本発明では、回収した未塗布薬液を含む紙粉含有液を、フィルターベルト等に供給して濾過する等、紙粉を除去した後に再度塗布液として使用するようにすることにより、塗布液中への紙粉の混入を抑制することができる。
【０００８】
＜請求項４記載の発明＞
前記分離工程が、
通液性で紙粉を捕捉する無端フィルターベルトと、その連続方向の位置を変更可能に支持する手段と、前記フィルターベルトの上方走行部の裏面側にあって、透過液を収容する濾液受けパンと、薬液含有ティシュペーパーの製造ラインにおける薬液塗布装置の薬液収容容器との間で構成される薬液の第１循環路内に設けた貯留タンクと、
さらに、前記第１循環路からの紙粉含有液が、前記フィルターベルトの上方走行部上に供給され、その透過液を前記濾液受けパンにより受けて、前記第１循環路に対して返送する第２循環路を備え、
前記フィルターベルトは紙粉含有液の受け位置を変更更新するように操作可能とされ、フィルターベルト上に堆積した紙粉は、前記受け位置と異なる位置で排除するように構成された装置を用いて行われる、
請求項３記載の薬液含有ティシュペーパーの製造方法。
【０００９】
薬液塗布を行なう浸漬式、ロール転写方式、スプレー塗布方式、フレキソ印刷方式、グラビア印刷方式のいずれも薬液収容容器からの薬液をティシュペーパー原紙に塗布するものである。しかるに、その薬液収容容器の粘度は可能な限り一定であることが望ましいので、別途、貯留タンクを設けて薬液収容容器との間で薬液を循環させる第１循環路を構成するのが望ましい。
さらに、この第１循環路から、望ましくは前記の貯留タンクから紙粉含有液を抜き出して、フィルターベルトの上方走行部上に供給し、その透過液を濾液受けパンにより受けて、第１循環路に対して、望ましくは前記の貯留タンクに返送する第２循環路を設けると、紙粉の除去を第２循環路内の濾過装置で連続的に除去するために、第１循環路内には紙粉の含有量が増大することなく経時的に安定した状態となり、安定した塗布量をもって塗布を行なうことができる。
【００１０】
前記フィルターベルトは無端であるために、紙粉の堆積が進行し目詰まりが進行した時点では、濾過速度が低下し、紙粉含有液の受け位置において、薬液があふれ出てしまうことがある。特に、起泡性の薬液の場合には溢れ出を生じる傾向が高い。この場合には、フィルターベルトをあるピッチ分前進走行させ、紙粉含有液の受け位置を変更更新することにより、濾過能力の低下を防止できる。
【００１１】
ここで、必要ならば、フィルターベルトは連続的に前進走行させてもよいが、ベルト上に残存する液を可能な限り減じるために、ベルト上の液を一定時間静置しベルトを通過させることのできる、間欠走行とする方が好ましい。フィルターベルトの前進走行は自動的に行なうほか、人力によってもよい。
【００１２】
他方、濾過をバッチ処理によることが考えられるが、使用した濾布を廃棄するのは経済的ではないし、濾布を再生する方式も可能であるが、その再生機構のコストが嵩むものとなる。
【００１３】
これに対し、本発明では無端フィルターベルトを使用しているので、フィルターベルト上に堆積した紙粉は、その性質上、前記受け位置と異なる位置でエアの吹付などで容易に排除できるために、簡素な構成で自動的に紙粉の除去が可能である。
【００１４】
なお、後述のように、特に高速で塗布方式する場合には、フレキソ印刷方式とすることが好ましく、特にドクターチャンバーを用いたフレキソ印刷方式とすることが好ましい。高速でのフレキソ印刷方式においては、未塗布薬液中に紙粉が大量に混入することを知見しており、本発明例の薬液中の紙粉除去装置を有効に適用できる。
【００１５】
＜請求項５記載の発明＞
前記濾液受けパンにより受けた濾液は、前記貯留タンクに対して返送される、請求項４記載の薬液含有ティシュペーパーの製造方法。
【００１６】
（作用効果）
濾液受けパンにより受けた濾液は紙粉をほとんど含有しないので、貯留タンクに返送し、塗布液として使用することができる。なお、薬液塗布装置の薬液収容容器又はその近くに返送すると、紙粉含有回収未塗布薬液中との接触を防止しながらそのまま塗布に供することができるので、薬液収容容器中の薬液の粘度の安定及び紙粉混入の防止の観点から、より好ましい形態である。
【００１７】
＜請求項６記載の発明＞
原薬液が前記第１循環路に対して補給される、請求項４記載の薬液含有ティシュペーパーの製造方法。
【００１８】
（作用効果）
原薬液は、第１循環路に対して、たとえば貯留タンク内に補給される。紙粉を含有しない原薬液についても、濾液受けパンにより受けた濾液と同様に、そして同様の理由により、薬液塗布装置の薬液収容容器又はその近くに補給すると、紙粉含有回収未塗布薬液中との接触を防止しながらそのまま塗布に供することができるので、薬液収容容器中の薬液の粘度の安定及び紙粉混入の防止の観点から、より好ましい形態である。
【００１９】
＜請求項７記載の発明＞
前記フィルターベルトの上方走行部の裏面側に金属製無端メッシュベルトが設けられ、その無端メッシュベルトの下方に前記濾液受けパンが設けられている、請求項４記載の薬液含有ティシュペーパーの製造方法。
【００２０】
（作用効果）
フィルターベルトとしては、不織布、合成繊維織物、金属製メッシュを使用できるが、適度なメッシュを確保するうえで、金属製メッシュでは粗すぎて適切ではない。したがって、不織布や合成繊維織物を使用できるが、これ単独であると、形状的に安定しない。特に、実施の形態のように、フィルターベルトの上方走行部の少なくとも前後にそれぞれ左右一対を下方に押し下げ、このフィルターベルトの押し下げ領域に左右の壁及び前後の壁を形成して濾過用の液溜まりを形成しようとする場合に、形状安定性に劣る。そこで、上方走行部の裏面側に金属製無端メッシュベルトを設けると、濾過用の液溜まりの形成が容易である。フィルターベルトを透過した濾液は、金属製無端メッシュベルトも透過し、濾液受けパンに受けられる。
【００２１】
【００２２】
【００２３】
＜請求項８記載の発明＞
前記フィルターベルトの上方走行部の少なくとも前後にそれぞれ左右一対を下方に押し下げ、このフィルターベルトの押し下げ領域に左右の壁及び前後の壁を形成する、請求項４記載の薬液含有ティシュペーパーの製造方法。
【００２４】
（作用効果）
前述のように濾過用の液溜まりを形成し、フィルターベルトを前進走行させ液溜まりを更新させるようにすると、順次新鮮な濾過部を形成でき、紙粉の堆積を防止できる。
【００２５】
＜請求項９記載の発明＞
前記フィルターベルトの上方走行部の裏面側に金属製無端メッシュベルトが設けられ、その無端メッシュベルトの下方に前記濾液受けパンが設けられおり、
前記フィルターベルトの上方走行部の少なくとも前後にそれぞれ左右一対を前記メッシュベルトと共に下方に押し下げ、前記フィルターベルト及び前記メッシュベルトの押し下げ領域に左右の壁及び前後の壁を形成する、請求項４記載の薬液含有ティシュペーパーの製造方法。
【００２６】
（作用効果）
前記フィルターベルト及び前記メッシュベルトの両者を押し下げるようにすると、濾過用の液溜まりの形状安定性に優れる。
【００２７】
＜請求項１０記載の発明＞
フィルターベルト上に堆積した紙粉は、フィルターベルトの裏面から表面へのエア噴射により除去し、第２の固液分離手段により紙粉と薬液とを分離する、請求項４記載の薬液含有ティシュペーパーの製造方法。
【００２８】
（作用効果）
受け位置と異なる位置で、フィルターベルト上に堆積した紙粉をエアの吹付などで容易に排除できるが、その排除紙粉中にも薬液が含有されているので、第２の固液分離手段たとえば小型の遠心分離器により紙粉と薬液とを分離し、薬液は回収するのが望ましい。
【００２９】
＜請求項１１記載の発明＞
薬液含有ティシュペーパーの製造において、ティシュペーパー原紙に対する薬液塗布後の余剰の薬液を回収し、回収した薬液を紙粉分と薬液分とに分離し、前記薬液分については薬液塗布装置に対して供給することを特徴とする薬液中の紙粉除去装置。
【００３０】
【００３１】
【００３２】
【００３３】
【００３４】
（作用効果）
請求項１と同様の効果を奏する。
【発明の効果】
【００３５】
本発明により、薬液塗布ティシュペーパーの製造工程で薬液の循環使用を行うにあたり、薬液中に混入する紙粉等の紙粉を自動的に、かつ効率よく除去することが可能となる。
【図面の簡単な説明】
【００３６】
【図１】本発明に係る薬液中の紙粉除去装置及び配管の一例を示すフロー図である。
【図２】フィルターベルト、メッシュベルトの上方走行面押し下げ部分の幅方向断視図である。
【図３】フィルターベルトの上方走行面上のフィルター押し下げロールの配置を模式的に示す上面図である。
【図４】本発明に係る薬液中の紙粉除去装置及び配管の別の一例を示すフロー図である。
【図５】ティシュペーパーの製造設備、製造方法を示す概略図である。
【図６】フレキソ塗布に係る装置の一例を示す概略図である。
【図７】グラビア塗布に係る装置の一例を示す概略図である。
【発明を実施するための形態】
【００３７】
本発明において、装置のフィルターベルト移動方向を「前後方向」あるいは「長手方向」とし、装置上方から見たフィルターベルトが向かう方向を「前方向」、逆を「後ろ方向」とする。また、フィルターベルトの移動方向と垂直な方向を「側方」あるいは「幅方向」と表記する。
【００３８】
（薬液の例）
本発明に係る装置において紙粉を除去される薬液の成分は、特に限定されるものではないが、以下、当該装置に供される薬液の成分の例について示す。
ティシュペーパーに付与する薬液の粘度は、加工速度を向上させる観点から、４０℃で１〜７００ｍＰａ・ｓとすることが好ましく、特に５０〜４００ｍＰａ・ｓとすることが好ましい。１ｍＰａ・ｓより小さいと薬液が飛散しやすくなり装置の汚損につながり、逆に７００ｍＰａ・ｓより大きいと塗布量をコントロールしにくくなる。
成分はポリオールを７０〜９０％、水分を１〜１５％、機能性薬品を０．０１〜２２％含むものとすることが好ましい。
ポリオールはグリセリン、ジグリセリン、プロピレングリコール、１，３−ブチレングリコール、ポリエチレングリコール、およびその誘導体等の多価アルコール、ソルビトール、グルコース、キシリトール、マルトース、マルチトール、マンニトール、トレハロース等の糖類を含む。
【００３９】
機能性薬剤としては、柔軟剤、界面活性剤、無機および有機の微粒子粉体、油性成分などがある。柔軟剤、界面活性剤はティシューに柔軟性を与えたり表面を滑らかにする効果があり、アニオン性界面活性剤、カチオン性界面活性剤及び両性イオン界面活性剤を適用する。無機および有機の微粒子粉体は表面を滑らかな肌触りとする。油性成分は滑性を高める働きがあり、流動パラフィン、セタノール、ステアリルアルコール、オレイルアルコール等の高級アルコールを用いることができる。
【００４０】
また機能性薬剤としてポリオールの保湿性を助けたり、維持させる薬剤として親水性高分子ゲル化剤、コラーゲン、加水分解コラーゲン、加水分解ケラチン、加水分解シルク、ヒアルロン酸若しくはその塩、セラミド等の１種以上を任意の組合せ等の保湿剤を加えることができる。
【００４１】
また機能性薬剤として香料、各種天然エキス等のエモリエント剤、ビタミン類、配合成分を安定させる乳化剤、薬液の発泡を抑え塗布を安定させるための消泡剤、防黴剤、有機酸などの消臭剤を適宜配合することができる。さらには、ビタミンＣ、ビタミンＥの抗酸化剤を含有させてもよい。
【００４２】
上記成分のうち、グリセリン、プロピレングリコール等の多価アルコールを主成分とすることが、薬液の粘度、塗布量を安定させる上で好ましい。
薬液塗布時の温度は３０℃〜６０℃、好ましくは３５℃〜５５℃とすることが好ましい。
【００４３】
（薬液中の紙粉除去装置本体の構成）
以下、本発明の実施の形態を図面に基づき説明する。図１は、本発明の薬液中の紙粉除去装置と配管の一例を示すフロー図である。図１において、薬液中の紙粉除去装置本体１の円柱型の駆動回転ロール１２と内周テンションロール１４が、断面が側面を向くように設置されており、無端状の金属性メッシュベルト１１がロール１２、１３に巻きかけられている。更に無端メッシュベルト１１の上下前後を取り囲み、かつ外周テンションロール１４を覆うように無端のフィルターベルト１０が巻きかけられている。駆動回転ロール１２はベルト駆動用減速機２１に連結されており、ベルトの走行及び走行速度制御を可能としている。駆動回転ロール１２の回転により、メッシュベルト１１とフィルターベルトが駆動回転ロール１２とブロックロール１７に挟みこまれて移動する。
【００４４】
フィルターベルト１０は、ポリエステル等の樹脂製、金属性メッシュシート等、通常ベルト型濃縮機に使用されるものを使用できるが、後述するように押し下げによりベルト形状を一部変形させながら移動させるため、可橈性に優れた樹脂製のフィルターを使用することがより好ましい。薬液濾過は、特に薬液に混入する紙粉の除去を目的としており、紙粉の大きさは平均繊維長で０．３〜３．０ｍｍであることから、フィルターは、網目が縦、横それぞれ２０〜５０本で、糸の太さ０．２５〜０．８ｍｍのものを使用することが好ましい。
【００４５】
メッシュベルト１１を省略し、フィルターベルト１０を直接駆動回転ロール１２に巻きかける形態とすることもできるが、フィルターベルトの形状を安定させ、かつフィルターベルトを確実に移動させるためにメッシュベルト１１を使用することが好ましい。メッシュベルト１１は、濾過機能を付加するものではないため、フィルターベルトに比して疎なメッシュを使用することが望ましい。メッシュベルトの素材は、ステンレス、アルミニウム、ポリエチレン等、水分の付着による錆びの生じにくいものとすることが好ましい。金属チェーンメッシュベルトは、上方走行面の押し下げにより凹部を形成する程度の可橈性を有することが好ましい。
【００４６】
図２、図３に示すように、メッシュベルト１１とフィルターベルトが重なる上方走行面のうち少なくとも２箇所（図示例では４箇所）がフィルター押し下げロール１５により押し下げられることにより、凹部が形成される。押し下げ手段は、ロールに限られず、例えば角のない樹脂製の凸部によってもよいが、その場合、押し下げられた状態のフィルターベルトをそのまま移動させると、押し下げ手段とベルトの摩擦によりベルトが破損する恐れがある。
【００４７】
押し下げ手段により形成された凹部は、被濾過薬液が薬液供給管より直接導入される薬液貯留部１６となる。薬液貯留部には液量検知手段が備えられ（図示せず）、フィルターの目詰まりにより貯留量が一定量を超えるとフィルターベルトが移動する構成となっている。液量検知手段は、公知の液量検知手段のいずれを使用してもよく、ボールタップ、水位計、微圧センサ等、公知の液量検知機器をいずれも使用できる。
【００４８】
フィルター押し下げロール１５は、２か所以上備えるものとし、４か所以上備えることがより好ましい。フィルター押し下げロールの配置を図３に例示するが、フィルター押し下げロールを２つ以上使用し、かつフィルターベルト上面に凹部を形成する構成であれば、フィルター押し下げロールの配置は特に図示例に限定されるものではない。貯留量の多い凹部を上方走行面に形成するためには、最もフィルター側部側に位置するフィルター押し下げロールのフィルター幅方向側部からの距離ａは、フィルターの幅方向の長さｂの１０〜５０％、より好ましくは２０〜３５％とすることが好ましい。１０％より側部に近い位置に配置すると凹部に深さを持たせることができず、また、５０％より幅方向中央寄りとすると、フィルターベルト側部の撓みが大きくなり、凹部の形状及び容量が安定しにくい。
【００４９】
フィルターが目詰まりを起こして薬液貯留部の液量が一定量を超えると、目詰まりを起こした部分が前方に移動し、目詰まりを起こしていない部分が新たな薬液貯留部を形成する。この際、凹部を形成していたフィルターが平坦となる部分において、フィルターに随伴して移動してきた薬液により側部から液漏れを生じる恐れがある。また、薬液が前方、及び下方へ移動すると、後述のバッチ操作による遠心分離に供する薬液量が増大し、バッチ操作の回数が増大し操作が煩雑となる。そのため、フィルターベルトの当該部分を横断するように、側面に断面を有するブロックロール１７を備え、フィルター移動に随伴して移動する薬液を、新たに形成される薬液貯留部へ押し戻す構成とすることが望ましい。ブロックロール１７は、表面が吸水性を備えたスポンジフォーム、ウレタンフォーム等で構成されており、駆動回転ロール１２の上方に配されることが好ましい。ブロックロール１７に吸収された薬液は、ブロックロール１７と駆動回転ロール１２との間に生じた押圧により、絞り出されるように薬液貯留部に押し出される。
【００５０】
ブロックロール１７を通過した後のフィルターベルトは、装置前方または装置下方において、エア噴射手段１８からのエア噴射により、目詰まりを除去される構成とするのが望ましい。エア噴射手段１８は、フィルターベルトの形成した内部空隙内に配置され、フィルター内部から外部の方向に向かって、目詰まりの要因となる紙粉と、フィルター表面に残存した薬液を吹き飛ばす構成とするのが好ましい。エア噴射手段１８は、具体的にはエアコンプレッサー等を使用することができる。エア噴射により飛ばされた紙粉及び薬液は、薬液受け１９に貯留された後、遠心分離手段２２へ送られる。
【００５１】
薬液貯留部のフィルターベルトを透過した薬液は、濾液受けパンに貯留されたのち、サービスタンク２３またはサービスタンク２４（図４）に送られる。
【００５２】
（遠心分離手段）
薬液受け１９に貯留された紙粉及び薬液は、遠心分離手段２２おいて、更に固液分離がなされる。遠心分離は、下記の条件で行われるのが好ましい。
○バッグフィルター：  樹脂製、好ましくはポリエステル製
○メッシュサイズ：１００〜４００メッシュ
○１回あたりの分離試料量：１．０〜５．０ｋｇ
○回転数：２０００〜５００ｒｐｍ  
○分離時間：１５〜４５分
遠心分離により得られた分離済みの薬液は、サービスタンク２３またはサービスタンク２４（図４）へ送られる。
【００５３】
（薬液のフローの形態）
図１に、紙粉除去装置本体１と薬液塗布工程との配管の一例を示す。薬液塗布工程から回収された紙粉を含む未塗布薬液は、遠心分離手段２２に送られるか、または、ポンプＰ−２により返送され、スクリーン等で紙片等の大きな夾雑物を除去された後にサービスタンク２３に貯留される。サービスタンク２３の温度は、薬液の粘度を一定の範囲内に保つため、ヒータ２６により２０〜６０℃とされることが好ましい。サービスタンク２３内の未塗布薬液には、原液タンク２５からポンプＰ−１により送られる原液薬液が付加されることが好ましい。ティシュペーパーに付加される薬液の品質を均一化するため、循環薬液と原液とを分けてラインに導入するのではなく、薬液を一体的に処理・使用することが好ましいためである。循環薬液と原液とは、４：１〜１００：１の割合で混合されることが好ましい。
【００５４】
サービスタンク２３の薬液は、ポンプＰ−３により紙粉除去装置本体１の薬液貯留部１６に供給され、フィルターベルト１０により濾過処理される。濾液受けパン２０に貯留した濾液は、ポンプＰ−４によりサービスタンク２３に送られる。
【００５５】
薬液受け１９に貯留された薬液及び紙粉は、遠心分離手段２２に供され、さらに分離処理されることが好ましい。分離された薬液はポンプＰ−５により、サービスタンク２３に送られる。残存した分離パルプは廃棄物として処理される。
【００５６】
サービスタンク２３内の薬液はポンプＰ−６により薬液塗布工程に送られる。その際、薬液は過剰量送られ、余剰分は塗布装置（図示例ではドクターチャンバー６１）から戻りポンプＰ−７により、再びサービスタンクに返送される。
【００５７】
ポンプＰ−１〜Ｐ−７は、エアポンプ等、公知のポンプをいずれも使用できるが、薬液が気泡を生じると濾過工程における効率が低下するため、気泡を生じにくいギアポンプを使用することが好ましい。
【００５８】
（薬液のフローの別の形態）
図４に、紙粉除去装置本体１と薬液塗布工程との配管の別の例を示す。図４に示すように、濾液受けパン２０と薬液受け１９に貯留した薬液は、サービスタンク２３とは別のサービスタンク２４に送られる構成としてもよい。この場合、薬液塗布工程において紙粉が混入した未塗布薬液と、紙粉をほとんど含まない濾液、分離液を混和することがないため、より紙粉の混入の少ない薬液を薬液塗布工程に供することができるため好ましい。しかし、薬液の濾過速度が薬液供給の律速となるため、薬液を安定的に供給するためには処理能力の高い大型装置、または複数台の装置を使用することが好ましい。
この形態においては、原薬液はサービスタンク２３に供給するのではなく、サービスタンク２４から薬液塗布工程に供給される薬液に混入されるのが好ましい。
【００５９】
未塗布薬液の粘度が７００ｍＰａ・ｓ以下（より好ましくは４００ｍＰａ・ｓ以下）の場合は、図１の形態を使用できるが、粘度が７００ｍＰａ・ｓを超える場合には、当該粘度が２００ｍＰａ・ｓ未満に低下するまで、図４の形態に変更することが好ましい。
【００６０】
（薬液塗布ティシュー製造工程の一例）
以下、本発明に係る装置より供給された薬液を塗布したティシュペーパーの製造工程の例を示す。図５に、本発明に係るティシュペーパーのプライ工程の装置Ｘ１の概要を示した。なお、図５に係る工程は、一体となった装置であるプライマシンで実施されることが好ましい。
【００６１】
抄紙機において抄紙された原紙は、連続シートとして、クレープを施し、カレンダー処理を施したうえで、これを巻き取り、一次原反ロールＪＲ（一般的にジャンボロールともいわれている）とされる。
【００６２】
連続シートＳ１１，Ｓ１２は積層ローラー５１で積層されて２プライとされ、必要に応じてプライマシンカレンダー５２でカレンダー処理され、薬液付与手段５３に送られる。薬液付与は各プライの片面側のみより行われ、薬液を付与されていない面同士が重ね合わされて、後にプライ固定を施されるのが好ましい。薬液塗布の方法は、浸漬、スプレー塗布、フレキソ塗布、グラビア塗布によるなど公知の塗布方法をいずれも使用することができる
【００６３】
薬液を塗布された２プライの連続シートは、コンタクトエンボスコロ５４Ｂ及びコロロール５４Ａに供され、コンタクトエンボス（ナーリング）処理を施すことにより固定されることが好ましい。コンタクトエンボスは、両側部から紙幅に対して１／１０〜１／２０の位置に幅１〜１０ｍｍで縦方向に一様に施されるのが好ましい。プライを接着剤等で固定するなど、公知の方法のいずれを使用してもよいが、接着剤を使用する場合、肌触りが固くなりやすい、薬液付与時に剥がれやすい、等の問題があるため、コンタクトエンボスの使用がより好ましいといえる。
【００６４】
コンタクトエンボスを付与した２プライの連続シートは、直接ロータリー式インターフォルダ等に供されて折り加工を施された後に製品サイズに裁断されるか、または、スリッター５５により製品幅にカットされた後、ワインディングドラム５６により巻き取り二次原反ロールＲとされ、折り加工が施され、紙箱への収納がなされる。
なお、本形態ではコンタクトエンボス前に薬液を付与する構成をとっているが、コンタクトエンボス後に薬液を付与する構成としてもよい。
【００６５】
上述の二次原反ロールは、特にティシュペーパー製品においては折り加工工程に供される。折り加工工程としては、ロータリー式インターフォルダ、マルチスタンド式インターフォルダ等公知の方法を使用することができるが、生産性の高いマルチスタンド式インターフォルダの使用がより好ましい。
【００６６】
なお、２プライのティシュペーパーの製造工程を例示したが、本発明に係る薬剤中の紙粉除去装置から供給される薬液は、他の製造工程にも有効に使用できるものであり、上記の製造工程への使用に限定されるものではない。
【００６７】
（薬液塗布工程−グラビア塗布の一例）
薬液塗布工程としては、公知の塗布手段をいずれも使用することができるが、塗布面全体にムラなく薬液塗布を行うグラビア塗布、フレキソ塗布等の印刷方式の使用が好ましい。
【００６８】
図７にグラビア塗布に係る装置の一例を示す。図７において、積層シートＳ２は、一対のリンク式オフセットグラビアプレス２０１、２０２の間に送られる。プレス２０１は、下部グラビアシリンダ２０３と、上部オフセットシリンダ２０４とによって構成されている。また、プレス２０２は、下部グラビアシリンダ２０５と、上部オフセットシリンダ２０６とによって構成されている。グラビアシリンダ２０３，２０５は各々、特定の蝕刻されたセルパターンと寸法を有し、クロムメッキされた表面を有しており、オフセットシリンダ、２０４，２０６は各々、平滑なポリウレタンゴムの表面を有している。グラビアロールのセル容積の寸法は、所望の被覆重量、ライン速度、及び薬液の粘度で決まる。これらのグラビアシリンダとオフセットシリンダは、矢印の方向に回転する。図７に示されるように、オフセットシリンダ２０４，２０６、は、直接対向し互いに平行であり、積層シートＳ２が通過するニップ領域２０７を提供する。
【００６９】
インキ溜めトレイ２０８，２０９が、グラビアシリンダ２０３，２０５の下にそれぞれ配置されている。グラビアシリンダ２０３，２０５が、トレイ２０８，２０９内で、矢印の方向に回転すると、グラビアシリンダ２０３，２０４は、一定量の薬液を取り上げる。
【００７０】
次いで、グラビアシリンダのセル２０３、２０５に残った薬液は、シリンダの各対間のニップ領域２１０，２１１のところで、オフセットシリンダ２０４，２０６に移される。次いで、オフセットシリンダ２０４，２０６に移された薬液は、積層シートＳ２の両面に同時に移される。積層シートＳ２に移される薬液の量は、（１）ニップ領域２０７の幅の調整、及び／又は、（２）ニップ領域２１０、２１１の幅の調整によって制御される。
【００７１】
（薬液塗布工程−フレキソ塗布の一例）
薬液塗布工程のうち、特にドクターチャンバー６１を備えたフレキソコーターを使用すると、安定した塗布量で薬液を供給することができるため、より好ましい。
【００７２】
図６にフレキソ印刷方式におけるドクターチャンバー形式の一例を示す。図６に示すように一方のドクターチャンバー形式とされる薬液塗布部５３Ａは、薬液の入っているドクターチャンバー６１Ａが、回転可能なアニロックスロール６３Ａと対向して配置されていて、ドクターチャンバー６１Ａからアニロックスロール６３Ａに薬液を受け渡すようになっている。また、このアニロックスロール６３Ａと接し且つ積層連続シートＳ２の一面とも接する刷版ロール６４Ａが回転可能に設置されていて、このアニロックスロール６３Ａから刷版ロール６４Ａに薬液を受け渡すようになっている。さらに、積層連続シートＳ２を挟んでこの刷版ロール６４Ａと対向している弾性ロール６５Ａとで積層連続シートＳ２に圧力を付与しつつ、刷版ロール６４Ａから積層連続シートＳ２に薬液を塗布するようになっている。
【００７３】
そして、本形態では、この薬液塗布部５３Ａがコンタクトエンボス手段５４のコロ５４Ａと対向し且つ、前述のワインディングドラム５６Ａとも対向する積層連続シートＳ２の面側に位置している。尚、前述のドクターチャンバー６１Ａに対して薬液を塗布する供給ポンプ（図示しない）及び、このドクターチャンバー６１Ａから薬液を戻すための排出供給ポンプ（図示しない）が、ドクターチャンバー６１Ａに設置されている。
【００７４】
他方、図６に示すように他方のドクターチャンバー形式とされる薬液塗布部５３Ｂは、薬液の入っているドクターチャンバー６１Ｂが、回転可能なアニロックスロール６３Ｂと対向して配置されていて、ドクターチャンバー６１Ｂからアニロックスロール６３Ｂに薬液を受け渡すようになっている。また、このアニロックスロール６３Ｂと接し且つ積層連続シートＳ２の他の面とも接する刷版ロール６４Ｂが回転可能に設置されていて、このアニロックスロール６３Ｂから刷版ロール６４Ｂに薬液を受け渡すようになっている。さらに、積層連続シートＳ２を挟んでこの刷版ロール６４Ｂと対向している弾性ロール６５Ｂとで積層連続シートＳ２に圧力を付与しつつ、刷版ロール６４Ｂから積層連続シートＳ２に薬液を塗布するようになっている。薬液の粘度によっては、刷版ロール６４Ｂに紙粉が付着しやすくなるという問題があることから、刷版６４Ｂ下部に紙粉除去手段２７を設けることが好ましい。図１、図４の図示例では紙粉除去手段２７として回転ブラシを使用しているが、他にもエア噴射手段、液体噴射手段等を適宜選択することができる。
【００７５】
そして、本実施の形態では、この薬液塗布部５３Ｂがコロ５４Ａと非対向とされ且つ、前述のワインディングドラム５６Ａとも非対向となる積層連続シートＳ２の他の面側に位置している。尚、前述のドクターチャンバー６１Ｂに対して薬液を塗布する供給ポンプ（図示しない）及び、このドクターチャンバー６１Ｂから薬液を戻すための排出供給ポンプ（図示しない）が、ドクターチャンバー６１Ｂにも設置されている。
【００７６】
従って、積層連続シートＳ２の両面に薬液塗布部５３Ａ及び薬液塗布部５３Ｂから薬液がそれぞれ塗布されるが、この際、薬液塗布部５３Ａによるコロ５４Ａと対向する積層連続シートＳ２の面側の塗布量を薬液塗布部５３Ｂによる他の面側の塗布量に対して少なくしつつ、積層連続シートＳ２の両面からそれぞれ積層連続シートＳ２に対して薬液を塗布することができる。
【００７７】
具体的には、片面毎の塗布量を変えるだけでなく、フレキソ版の線数を１５〜４０線程度、頂点面積率を２０〜４０％程度の薬液が飛散しない程度に粗くすることが考えられ、このようにすることで、塗布直後はドット柄が残り、瞬間的に塗布部分と未塗布部分ができるようになる。
【００７８】
従って、本形態によれば、フレキソ印刷方式を用いることで版が樹脂であり弾力性があるため衛生用薄葉紙に多少の凹凸があっても印圧で調整可となるので、積層連続シートＳ２にシワが入り難くなる。他方、フレキソ印刷方式を用いることにより、加工速度が高速であっても塗布量を安定させることができ、また、一つのロールで幅広い薬液の粘度を安定的に塗布することができるようになる。具体的には、積層連続シートＳ２を７００ｍ／分以上とし、好ましくは９００ｍ／分以上の速度で搬送しつつ、薬液とされるローション剤を後述の範囲の塗布量で塗布する際にも、塗布が均一で蛇行無く積層連続シートＳ２を巻き取れるようになる。
【００７９】
また、本形態に付随する薬液塗布手段５３の要件としては、以下のものが考えられる。
２ロールフレキソ形式の薬液塗布手段では、薬液タンク等の塗布装置内で循環する薬液に含まれる紙粉やエアーのろ過装置を設置する必要があるが、本実施の形態のようなドクターチャンバー形式の薬液塗布手段５３とした場合、紙粉等が少なくなるので、ろ過装置の負荷が軽減されることも考えられる。さらに、ドクターチャンバー６１Ａ、６１Ｂ等の塗布装置内で薬液の温度をコントロールし、薬液粘度を安定させる必要が考えられるが、ドクターチャンバー６１Ａ、６１Ｂに繋がる中間タンク及び配管にヒータを設置することにできる。他方、操業中に積層連続シートＳ２の幅方向の水分率で塗布量を管理する必要が考えられるが、例えば赤外線の検査機等を用いて常に幅方向の水分量とバラツキをチェックするようにできる。
【実施例】
【００８０】
本発明に係る紙粉除去装置を使用して、ティシュペーパー製造ラインからの循環薬液の紙粉除去操作を行い、操作の各段階における薬液の粘度、具体的には薬液原液、循環薬液、濾液受けパン２０内の薬液、薬液受け１９内の薬液、遠心分離手段２２で分離された薬液、及びサービスタンク内の薬液の粘度を測定した。本実施例は、図１に示す装置及び配管を用いた条件で行った。
【００８１】
本実施例において、フィルターベルト１０は、メッシュが１インチ当たり縦３３本、横３１本、糸の太さ０．４ｍｍのポリエステルメッシュベルト（（株）日本ベルト製）を使用した。また、遠心分離機のバッグフィルターは、２００メッシュ（糸の太さ：０．４８ｍｍ）のポリエステル製バッグ（蒲田工業（株））を使用した。
【００８２】
各段階における薬液の粘度を表１に示す。薬液の粘度は、Ｂ型粘度計を使用し、薬液温度２７．０℃の条件で測定した。
【００８３】
【表１】
2011183087.tif 000011
【００８４】
表１に示す通り、本発明に係る紙粉除去装置を使用することにより、循環薬液の粘度を有意に低下させて製造ラインに再供給することが可能であることが明らかとなった。
【産業上の利用可能性】
【００８５】
本発明は、薬液塗布ティシュペーパーの製造工程に限らず、液体中の微細な夾雑物の効率的な除去を要する他分野においても適用できるものである。
【符号の説明】
【００８６】
１…紙粉除去装置本体、１０…フィルターベルト、１…金属チェーンメッシュベルト、１２…駆動回転ロール、１３…内周テンションロール、１４…外周テンションロール、１５…フィルター押し下げロール、１６…薬液貯留部、１７…ブロックロール、１８…エア噴射手段、１９…薬液受け、２０…濾液受けパン、２１…減速機、２２…遠心分離手段、２３，２４…サービスタンク、２５…原液タンク、２６…ヒータ、２７…紙粉除去手段、Ｐ−１〜Ｐ−７…ポンプ。
【手続補正２】
【補正対象書類名】特許請求の範囲
【補正対象項目名】全文
【補正方法】変更
【補正の内容】
【特許請求の範囲】
【請求項１】
ティシュペーパー原紙に対する薬液塗布工程に付与された薬液のうち、余剰の薬液を回収する回収工程と、
回収した薬液を紙粉分と薬液分とに分離する分離工程と、
前記薬液分を薬液塗布装置に対して供給する工程と、を含むことを特徴とする薬液含有ティシュペーパーの製造方法。
【請求項２】
前記薬液が、成分としてポリオールを７０〜９０％、水分を１〜１５％、機能性薬品を０．０１〜２２％含む、請求項１記載の薬液含有ティシュペーパーの製造方法。
【請求項３】
前記分離工程がフィルター濾過によって行われる、請求項１記載の薬液含有ティシュペーパーの製造方法。
【請求項４】
前記分離工程が、
通液性で紙粉を捕捉する無端フィルターベルトと、その連続方向の位置を変更可能に支持する手段と、前記フィルターベルトの上方走行部の裏面側にあって、透過液を収容する濾液受けパンと、薬液含有ティシュペーパーの製造ラインにおける薬液塗布装置の薬液収容容器との間で構成される薬液の第１循環路内に設けた貯留タンクと、
さらに、前記第１循環路からの紙粉含有液が、前記フィルターベルトの上方走行部上に供給され、その透過液を前記濾液受けパンにより受けて、前記第１循環路に対して返送する第２循環路を備え、
前記フィルターベルトは紙粉含有液の受け位置を変更更新するように操作可能とされ、フィルターベルト上に堆積した紙粉は、前記受け位置と異なる位置で排除するように構成された装置を用いて行われる、
請求項３記載の薬液含有ティシュペーパーの製造方法。
【請求項５】
前記濾液受けパンにより受けた濾液は、前記貯留タンクに対して返送される、請求項４記載の薬液含有ティシュペーパーの製造方法。
【請求項６】
原薬液が前記第１循環路に対して補給される、請求項４記載の薬液含有ティシュペーパーの製造方法。
【請求項７】
前記フィルターベルトの上方走行部の裏面側に金属製無端メッシュベルトが設けられ、その無端メッシュベルトの下方に前記濾液受けパンが設けられている、請求項４記載の薬液含有ティシュペーパーの製造方法。
【請求項８】
前記フィルターベルトの上方走行部の少なくとも前後にそれぞれ左右一対を下方に押し下げ、このフィルターベルトの押し下げ領域に左右の壁及び前後の壁を形成する、請求項４記載の薬液含有ティシュペーパーの製造方法。
【請求項９】
前記フィルターベルトの上方走行部の裏面側に金属製無端メッシュベルトが設けられ、その無端メッシュベルトの下方に前記濾液受けパンが設けられおり、
前記フィルターベルトの上方走行部の少なくとも前後にそれぞれ左右一対を前記メッシュベルトと共に下方に押し下げ、前記フィルターベルト及び前記メッシュベルトの押し下げ領域に左右の壁及び前後の壁を形成する、請求項４記載の薬液含有ティシュペーパーの製造方法。
【請求項１０】
フィルターベルト上に堆積した紙粉は、フィルターベルトの裏面から表面へのエア噴射により除去し、第２の固液分離手段により紙粉と薬液とを分離する、請求項４記載の薬液含有ティシュペーパーの製造方法。
【請求項１１】
薬液含有ティシュペーパーの製造において、ティシュペーパー原紙に対する薬液塗布後の余剰の薬液を回収し、回収した薬液を紙粉分と薬液分とに分離し、前記薬液分については薬液塗布装置に対して供給することを特徴とする薬液中の紙粉除去装置。